(57)【要約】【課題】装着された光ディスクの記録面の汚れや剥離等の異常をより簡易かつ高精度に診断することのできる光ディスク装置を提供する。【解決手段】装着された光ディスク５０の記録面５０ａの外周端部に対応して、その径方向に複数の画素が配列されたライン型のイメージセンサ（ラインＣＣＤ）２７が配設されている。このラインＣＣＤ２７は、光ディスク５０の回転に伴って、その記録面５０ａの状態を画像として取り込み、その画像情報を光電変換信号として異常診断回路６５に出力する。そして、異常診断回路６５は、このラインＣＣＤ２７からの光電変換信号に基づいて記録面５０ａの異常の有無を診断する。このような異常診断によって異常が検出された場合、異常通知インジケータ１５の点灯によって、その旨がユーザに報知される。【選択図】      図４
2005018923.tif 000002
【特許請求の範囲】
【請求項１】
装着された光ディスクへの情報記録、もしくは装着された光ディスクからの情報再生を行う光ディスク装置において、
前記装着された光ディスクの記録面を画像として取り込むイメージセンサと、該イメージセンサにて取り込まれた画像情報に基づいて前記記録面の異常の有無を診断する診断手段とを備える
ことを特徴とする光ディスク装置。
【請求項２】
前記イメージセンサは、前記装着された光ディスクの回転に伴い、その記録面のうちの外周端部の画像を選択的に取り込むものである
請求項１に記載の光ディスク装置。
【請求項３】
当該光ディスク装置は径の異なる複数の光ディスクが装着可能に構成されてなり、前記イメージセンサは、それら径の異なる複数の光ディスクに各々に対応して設けられてなる
請求項２に記載の光ディスク装置。
【請求項４】
前記イメージセンサは、前記光ディスクの径方向に複数の画素が配列されたライン型の電荷結合素子（ＣＣＤ）からなり、前記診断手段は、該ライン型の電荷結合素子による各画素毎の光電変換信号に基づいて前記記録面の異常の有無を診断する
請求項１〜３のいずれか一項に記載の光ディスク装置。
【請求項５】
前記診断手段は、前記電荷結合素子による各画素毎の光電変換信号が所定の値以上に変化することに基づいて前記装着された光ディスクの記録面に異常がある旨を診断する
請求項４に記載の光ディスク装置。
【請求項６】
前記診断手段は、前記電荷結合素子による各画素毎の光電変換信号の複数が所定の値以上に変化することに基づいて前記装着された光ディスクの記録面に異常がある旨を診断する
請求項４に記載の光ディスク装置。
【請求項７】
前記診断手段は、前記装着された光ディスクの記録面に異常がある旨の診断に基づいて、その旨を報知する報知手段をさらに備える
請求項１〜６のいずれか一項に記載の光ディスク装置。
【請求項８】
前記イメージセンサによる画像の取り込み、および前記診断手段による診断が、少なくとも前記装着された光ディスクへの情報記録、もしくは前記装着された光ディスクからの情報再生に先立って行われる
請求項１〜７のいずれか一項に記載の光ディスク装置。
【発明の詳細な説明】
【０００１】
【発明の属する技術分野】
本発明は、光ディスクの再生、あるいは記録・再生を行う光ディスク装置に関するものである。
【０００２】
【従来の技術】
周知のように、この種の装置で扱われる光ディスクとしては、ＣＤ−ＤＡ、ＣＤ−ＲＯＭ、また記録も可能なものとしてＣＤ−Ｒ、ＣＤ−ＲＷ等のＣＤ系のディスクに加え、近年は、ＤＶＤ−ＲＯＭ、ＤＶＤ−Ｖｉｄｅｏ、ＤＶＤ−Ａｕｄｉｏ、そして同様に記録も可能なものとして、ＤＶＤ−ＲＡＭやＤＶＤ±Ｒ、ＤＶＤ±ＲＷ等、より大容量のＤＶＤ系のディスクがある。
【０００３】
ところで、これらの光ディスクは、カートリッジ内に収納されているタイプのＤＶＤ−ＲＡＭは別として、記録面が剥き出しになっているものがほとんどであり、その取り扱いに際しては、記録面に傷や汚れなどが付かないような細心の注意を必要とする。特に、上記ＤＶＤ系のディスクなどは、保護層や反射層などの多層構造からなる厚さ「０．６ｍｍ」の円盤が貼り合わされた構造となっていることから、ディスクの不用意な落下等によってその外周部のエッジへ衝撃が加わると、それら層間に剥離が生じるおそれもある。こうして剥離が生じるようなことがあると、その領域は、該剥離に起因する層間の隙間等によって、ＤＶＤ規格に定められている光学的仕様を満たすことができなくなり、フォーカスサーボやトラッキングサーボが乱れるなど、記録・再生が不可能となることがある。
【０００４】
一方、光ディスク装置は通常、情報の書き込み（記録）や読み出し（再生）をディスクの内周側から行う仕様となっている。そのため、光ディスクの記録面に異常がある場合には、該異常部分にアクセスするときになってはじめてディスク不良が検知されることとなる。そのため、特に上述のようにディスクの外周側に剥離等の異常がある光ディスクに対して最大容量の記録（再生）を行う場合などには、長時間に渡る記録（再生）処理にもかかわらず、その処理がディスク不良により失敗に終わってしまうことにもなりかねない。また、こうした剥離に限らず、ディスク記録面に傷や汚れなどがあった場合にも同様に、記録や再生が不可能となることがある。
【０００５】
そこで従来は、例えば特許文献１に記載の光ディスク装置のように、光ディスクへの記録等に先立ち、該光ディスクの記録面を予め光ピックアップを用いて検査するようにした装置なども提案されている。ちなみにこの装置では、上記光ピックアップにて記録面にある傷や汚れ等のディフェクトを検出するとともに、それらディフェクトの位置情報（アドレス）をＡＴＩＰデータから検出して、その内容をディスプレイにイメージ表示するようにしている。
【０００６】
【特許文献１】
特開平１０−２１５４８号公報
【０００７】
【発明が解決しようとする課題】
このように、上記処理を光ディスクへの情報記録に先立って行うことで、情報記録の失敗により光ディスクを無駄にするようなこともなくなる。しかし、上記従来の装置の場合、情報記録に先立って記録面の検査を行うとはいえ、当該光ディスク装置自身が備える光ピックアップの複数のトラックにわたる走査を通じて上記ディフェクトやその位置情報を検出するものであるため、該検査にかかる時間が無視できないものとなっている。しかも、上述した剥離等の異常に際しては、フォーカスサーボやトラッキングサーボの乱れによってＡＴＩＰデータ等のアドレス情報（例えばＤＶＤ＋ＲＷ／ＲではＡＤＩＰ）自体が検出不能となるおそれもあり、そのような場合には、上記ディスプレイを通じた報知処理すらおぼつかないものとなる。
【０００８】
本発明は、こうした実情に鑑みてなされたものであって、その目的は、装着された光ディスクの記録面の汚れや剥離等の異常をより簡易かつ高精度に診断することのできる光ディスク装置を提供することにある。
【０００９】
【課題を解決するための手段】
こうした目的を達成するため、請求項１に記載の光ディスク装置では、装着された光ディスクへの情報記録、もしくは装着された光ディスクからの情報再生を行う光ディスク装置において、前記装着された光ディスクの記録面を画像として取り込むイメージセンサと、該イメージセンサにて取り込まれた画像情報に基づいて前記記録面の異常の有無を診断する診断手段とを備えることをその要旨とする。
【００１０】
一般に、光ディスクの記録面を画像として見た場合、これが正常であれば、その全面がほぼ均一な反射面となる。他方、同記録面に前述した剥離や傷、汚れ等の異常がある場合には、それら異常の度合いに応じて、反射面としての均一性も損なわれる。したがって上記構成のように、装着された光ディスクの記録面をイメージセンサによって取り込むこととすれば、該記録面に上記異常が存在する場合、その画像情報には、異常の存在、あるいは異常の度合いに応じた変化が現われることとなり、上記診断手段においても、こうした画像情報の変化に基づいて、上記異常の有無を的確に診断することができるようになる。しかも同構成の場合、前記アドレス情報も含めて、光ディスク自体の持つ情報については、基本的に何ら意識することなく、極めて簡易に、その記録面の異常の有無を診断することができることともなる。なお、上記イメージセンサ自体の性能（感度）にもよるが、上記記録面を照明するための光源等を別途備えることで、その画像認識精度も自ずと向上する。
【００１１】
また、請求項２に記載の光ディスク装置は、請求項１に記載の光ディスク装置において、前記イメージセンサは、前記装着された光ディスクの回転に伴い、その記録面のうちの外周端部の画像を選択的に取り込むものであることをその要旨とする。
【００１２】
こうした構成によれば、光ディスクの少なくとも１回の回転に基づいて上記記録面の外周端部の画像を取り込むことができ、特に前述した剥離等の異常についてこれをより迅速かつ的確に診断することができるようになる。
【００１３】
また、請求項３に記載の発明は、請求項２に記載の光ディスク装置において、当該光ディスク装置は径の異なる複数の光ディスクが装着可能に構成されてなり、前記イメージセンサは、それら径の異なる複数の光ディスクに各々に対応して設けられてなることをその要旨とする。
【００１４】
周知のように、光ディスクでは、前述したＣＤ系であれ、あるいはＤＶＤ系であれ、直径が１２ｃｍのものと８ｃｍのものとの２種類の径のものが一般に使用されている。そこで上記構成のように、これら径の異なる複数の光ディスクに各々に対応するかたちで上記イメージセンサを設けることとすれば、必要最小限の装置構成にて、汎用性の拡大を図ることができるようになる。なお、装置内部に空間的な余裕がある場合には、適宜のスライド機を用いて、１つのイメージセンサを上記光ディスクの径方向に移動させるようにしてもよい。
【００１５】
また、請求項４に記載の発明は、請求項１〜３のいずれか一項に記載の光ディスク装置において、前記イメージセンサは、前記光ディスクの径方向に複数の画素が配列されたライン型の電荷結合素子（ＣＣＤ）からなり、前記診断手段は、該ライン型の電荷結合素子による各画素毎の光電変換信号に基づいて前記記録面の異常の有無を診断することをその要旨とする。
【００１６】
上記イメージセンサとして、このようなライン型の電荷結合素子を使用することとすれば、低コストながら、上記画像情報としても光ディスクの回転に併せて必要十分な情報を得ることができるようになる。また加えて、上記診断手段としてもこれを、それらライン状に配列された各画素の光電変換信号を監視するだけの比較的簡素な手段として構成することができるようにもなる。
【００１７】
また、請求項５に記載の発明は、請求項４に記載の光ディスク装置において、前記診断手段は、前記電荷結合素子による各画素毎の光電変換信号が所定の値以上に変化することに基づいて前記装着された光ディスクの記録面に異常がある旨を診断することをその要旨とする。
【００１８】
光ディスクの記録面が正常であった場合、上記ライン型の電荷結合素子の各画素からはほぼ一律の信号強度にて光電変換信号が出力されるようになる。一方、上記光ディスクの記録面に剥離や傷、あるいは汚れなどの異常が生じている場合には、上記光電変換信号の信号強度も、それら異常の要因や度合いに応じて変化する。したがって、これら光電変換信号が所定の値以上に変化することに基づいて上記記録面の異常を診断するようにすることで、かかる診断を迅速かつ的確に行うことができるようになる。
【００１９】
また、請求項６に記載の発明は、同じく請求項４に記載の光ディスク装置において、前記診断手段は、前記電荷結合素子による各画素毎の光電変換信号の複数が所定の値以上に変化することに基づいて前記装着された光ディスクの記録面に異常がある旨を診断することをその要旨とする。
【００２０】
この場合も、基本的には、上記請求項５に記載の発明と同様の原理にて光ディスクの記録面の診断を行うことができるが、ここでは特に、光電変換信号の複数が所定の値以上に変化することを条件に、記録面に異常がある旨を診断するようにしたことで、上記ライン型の電荷結合素子を構成する画素の１つに仮に画素異常等が生じている場合であっても、これを補償して、その診断精度を高く維持することができるようになる。
【００２１】
また、請求項７に記載の発明は、請求項１〜６のいずれか一項に記載の光ディスク装置において、前記診断手段は、前記装着された光ディスクの記録面に異常がある旨の診断に基づいて、その旨を報知する報知手段をさらに備えることをその要旨とする。
【００２２】
こうした構成によれば、装着された光ディスクの記録面に異常がある旨をユーザに的確に知らしめることができるようになる。なお、この報知手段としては、ＬＥＤ等の点灯やディスプレイ等への表示によって視覚的に報知する手段、あるいはブザー等の音によって報知する手段として構成することができる。
【００２３】
また、請求項８に記載の発明は、請求項１〜７のいずれか一項に記載の光ディスク装置において、前記イメージセンサによる画像の取り込み、および前記診断手段による診断が、少なくとも前記装着された光ディスクへの情報記録、もしくは前記装着された光ディスクからの情報再生に先立って行われることをその要旨とする。
【００２４】
一般に、光ディスク装置にあっては、ユーザ側で予めディスクの記録面に傷や汚れ、剥離等の異常がないことが確認された後に装着されることが前提となっているが、実情としては、ディスク交換の度に記録面を確認することの煩わしさから、確認がなされないまま装着されることが多い。この点、こうした構成によれば、光ディスクの装着に伴う早い時期に上記記録面の異常の有無が迅速かつ的確に診断されることから、上記煩わしさからの解放はもとより、上記異常に起因する情報記録や情報再生の失敗も未然に防ぐことが可能となる。
【００２５】
【発明の実施の形態】
以下、この発明にかかる光ディスク装置の一実施の形態について、図面を参照して詳細に説明する。
【００２６】
この実施の形態にかかる光ディスク装置は、光ディスクの装着に際してトレーを用いる、いわゆるトレー方式の光ディスク装置を想定している。また、この光ディスク装置は、上記トレーの構造を通じて、１２ｃｍおよび８ｃｍの２種類の径の光ディスクが装着可能となっている。
【００２７】
はじめに、図１および図２を参照して、この実施の形態にかかる光ディスク装置の概略構成について説明する。ちなみに、図１および図２は、当該光ディスク装置の蓋が取り外されてその内部が露出された状態を模式的に示している。
【００２８】
図１に示されるように、この光ディスク装置は、大きくは、本体１０と、該本体１０に光ディスクを装着するトレー３０と、装着された光ディスクを回転せしめる回転機構２０と、装着された光ディスクへの情報記録、もしくは光ディスクからの情報再生を行う光ピックアップ部２４とを備えて構成される。
【００２９】
ここで上記本体１０は、中空の直方体形状をなしている。そしてその内部には、本体１０に対して水平方向に出し入れ可能に支持された上記トレー３０が収容されている。また、この本体１０の正面１０ａには、上記トレー３０を出し入れするためのトレー取り出し口１１、および図示しないトレー駆動機構にトレー３０の出し入れを指示するためのイジェクトボタン１２が設けられている。
【００３０】
また、ここでは図示を割愛したが、本体１０の裏面には、当該光ディスク装置の電源スイッチ設けられており、この電源スイッチのＯＮ／ＯＦＦ状態が、本体１０の上記正面１０ａに設けられているＬＥＤ等からなる電源ランプ１３の点灯／消灯によって示されるようになっている。また、上記本体１０の正面１０ａには他に、同じくＬＥＤ等からなるローディングランプ１４および異常通知インジケータ１５が設けられている。このローディングランプ１４は、上記光ピックアップ部２４の稼働状態をその点滅によって示すものであり、また、異常通知インジケータ１５は、後に詳述する診断処理によって、装着された光ディスクの異常が診断された場合に、その旨をその点灯によりユーザに報知するものである。
【００３１】
図２は、上記イジェクトボタン１２が操作されて、トレー３０が本体１０の外側へ引き出された状態を示している。
同図２に示されるように、本体１０の内部略中央には、上記回転機構２０が配設されている。この回転機構２０は、スピンドルモータ２１と、該スピンドルモータ２１の回転軸２２と、回転軸２２の先端に垂直方向に一体回転可能に組み付けられたディスク保持台２３とを備えて構成される。上記スピンドルモータ２１は、回転軸２２に組み付けられたディスク保持台２３と共々、回転速度が印加する電圧によって自在に調整されるように構成されている。また、回転軸２２およびディスク保持台２３は、トレー３０に載置される光ディスクの位置、正確にはトレー３０自体の位置に応じて上下方向に移動可能となっている。
【００３２】
また、本体１０の上記回転機構２０の近傍には、上記光ピックアップ部２４が設けられている。光ピックアップ部２４は、上記回転機構２０の近傍から上記装着される光ディスクの径方向に向けて平行に配設された２本のギア２５と、スライダモータ２６とレンズ２４ａとを備えて構成される。上記スライダモータ２６は、その駆動により、上記レンズ２４ａを上記ギア２５間にて水平方向に移動させる。これにより、レンズ２４ａは、装着される光ディスクの径方向に対して変位可能となる。また、このレンズ２４ａはさらに、フォーカシングサーボやトラッキングサーボによって上下左右方向にも変位可能に構成されている。このように、光ピックアップ部２４では、図示しない半導体レーザ発振器等から出射されるレーザ光をレンズ２４ａを変位させることで絞り込み、且つ装着された光ディスクの記録面に照射することで、光ディスクへの情報記録、もしくは光ディスクからの情報再生を行う。
【００３３】
また、上記トレー３０には、その中央部に、直径１２ｃｍおよび８ｃｍといった２種類のサイズの光ディスクが載置される円形状の溝３２および３３が形成されている。これら溝３２および３３は同心円上にあり、装着される光ディスクの外形形状（直径）の別に段差が設けられている。すなわち、同図２に示されるように、１２ｃｍの光ディスクが装着される溝３２は、８ｃｍの光ディスクが装着される溝３３よりも高い位置にその溝底が形成されている。また、このトレー３０には、その奥から中央部にかけて、中央部側のみが円形辺となる略四角形状の開口３１が形成されている。そのため、先の図１に示すように、トレー３０が本体１０内に収納されたときには、この開口３１から上記回転機構２０や上記光ピックアップ部２４が露出されるようになる。
【００３４】
ここで、この実施の形態において、上記回転機構２０を挟んで上記光ピックアップ部２４と対向する位置には、装着された光ディスクの記録面を画像として取り込むイメージセンサとして、ライン型の電荷結合素子（以下、ラインＣＣＤという）２７および２８が配設されている。これらラインＣＣＤ２７および２８は、それぞれ上記１２ｃｍおよび８ｃｍサイズの光ディスクに対応して、それらディスクが装着されたときに、各々該当する光ディスクの記録面の外周端部を画像として取り込むものであり、それらディスクの径方向に複数の画素が配列された構造を有している。また、これらラインＣＣＤ２７および２８の近傍にはそれぞれ、各々該当する光ディスクの記録面の外周端部を略均一に照明するための光源Ｌ１およびＬ２が設けられている。
【００３５】
一方、図１および図２に示されるように、上記トレー３０の溝３２および３３のうち、本体１０に設けられたラインＣＣＤ２７とその光源Ｌ１並びにラインＣＣＤ２８とその光源Ｌ２の上方に位置する部分には、画像取り込み用のスリット３４および３５が設けられている。すなわち、上記ラインＣＣＤ２７および２８は、装着された光ディスクの回転に伴い、これらスリット３４および３５を介して、それら光ディスクの記録面の外周端部の画像を取り込むこととなる。
【００３６】
図３は、このように構成された光ディスク装置に例えば１２ｃｍサイズの光ディスクが装着されている場合を想定した断面構造を、先の図１のＡ−Ａ’線に沿った断面図として模式的に示している。
【００３７】
図３に示されるように、光ディスク（例えばＤＶＤ）５０は、その記録面５０ａが光ピックアップ部２４と対向し、且つその外周端部５０ｂがトレー３０の上記１２ｃｍ光ディスク対応の溝３２に係合するかたちでトレー３０に載置されている。そして、この光ディスク５０が載置されたトレー３０の開口３１には、上記回転軸２２が延伸されて光ディスク５０の中心開口５０ｃが嵌合されるとともに、この中心開口５０ｃ付近の面５０ｄが上記ディスク保持台２３にて保持されている。
【００３８】
また、光ディスク５０の記録面５０ａの外周端部５０ｂは、トレー３０の溝３２に形成されたスリット３４を介して、複数の画素が一列に配列されている上記ラインＣＣＤ２７とその光源Ｌ１（図３では図示略）に対向している。これにより、上記記録面５０ａの外周端部５０ｂは、光源Ｌ１の駆動に伴って照明されるとともに、記録面５０ａ（外周端部５０ｂ）において反射された光は、ラインＣＣＤ２７を構成する上記各画素によって画像情報として取り込まれ、これを電気信号に変換した光電変換信号として出力される。
【００３９】
続いて、図４を参照して、この実施の形態にかかる光ディスク装置の電気的な構成について説明する。
同図４に示されるように、この実施の形態にかかる光ディスク装置には、本体１０に装着された光ディスク５０の位置に対応して、上述した光ピックアップ部２４、スピンドルモータ２１、ラインＣＣＤ２８とその光源Ｌ２、ラインＣＣＤ２７とその光源Ｌ１がそれぞれ前述した態様で配設されている。
【００４０】
また、この光ディスク装置は他にも、電源回路６０をはじめ、ＣＰＵ６１、サーボ回路６２、信号処理回路６３、インターフェース（Ｉ／Ｆ）回路６４、異常診断回路６５等を備えている。そして、この光ディスク装置は、これらの回路との協働のもとに、装着された光ディスク５０に対する情報記録、同光ディスク５０からの情報再生、そして同光ディスク５０の記録面５０ａに対する異常診断等を実行する。
【００４１】
以下、これら各回路の機能、並びに動作について、その概要を説明する。
まず、上記電源回路６０は、商用電源等に接続される電源端子Ｐ１と、該電源端子Ｐ１との間に介在される電源スイッチＳとを備え、電源スイッチＳが「ＯＮ」操作されることによって、当該装置の各部に、所要に安定化された電源を供給する回路である。なお、上記電源スイッチＳの「ＯＮ」操作に伴って、図１に例示した電源ランプ１３が点灯されるようになることは上述した通りである。
【００４２】
また、ＣＰＵ６１は、図示しないメモリ等に格納された各種制御プログラム、並びに図示しないホストコンピュータから端子Ｐ２およびＩ／Ｆ回路６４を介して伝達される指令等に基づいて当該光ディスク装置としての各種動作を総括的に制御する部分である。以下に説明するサーボ回路６２や信号処理回路６３、異常診断回路６５等も、基本的には、このＣＰＵ６１からの指令のもとに、それら必要とされる処理を実行する。
【００４３】
また、サーボ回路６２は、ＣＰＵ６１からの指令に基づいて上記光ピックアップ部２４およびスピンドルモータ２１の駆動を制御する回路である。すなわち、光ピックアップ部２４の上述したフォーカシングサーボやトラッキングサーボ、さらにはスピンドルモータ２１の回転速度制御等は、このサーボ回路６２を通じて実行される。
【００４４】
また、信号処理回路６３は、ＣＰＵ６１との協働のもとに、
（イ）光ディスク５０への情報記録に際しては、端子Ｐ２およびＩ／Ｆ回路６４を介してホストコンピュータから転送される情報に対し、例えば使用するディスク仕様に添ったエンコード処理、変調処理を施す。そして、レーザパワーをコントロールしつつ、光ピックアップ部２４を介してそれら変調した情報を光ディスク５０の記録面５０ａに書き込む。
（ロ）光ディスク５０からの情報再生に際しては、逆に、光ピックアップ部２４を介してその記録面５０ａから読み取られる情報に対し、同じく使用するディスク仕様に添った復調処理、デコード処理を施す。そして、このデコード処理した情報をＩ／Ｆ回路６４および端子Ｐ２を介してホストコンピュータに転送する。といった処理を基本的に実行する回路である。なお、上記Ｉ／Ｆ回路６４としては、例えばＡＴＡＰＩ（ＡＴ  Ａｔｔａｃｈｍｅｎｔ  Ｐａｃｋｅｔ  Ｉｎｔｅｒｆａｃｅ）やＳＣＳＩ（Ｓｍａｌｌ  Ｃｏｍｐｕｔｅｒ  Ｓｙｓｔｅｍ  Ｉｎｔｅｒｆａｃｅ）などのインターフェースに対応した回路が採用可能である。
【００４５】
また、異常診断回路６５は、これもＣＰＵ６１との協働にもとに、上記ラインＣＣＤ２７および２８から出力される光電変換信号を取り込んで、その信号レベルから上記光ディスク５０の記録面５０ａの異常の有無を診断する回路である。この診断態様については後に詳述するが、基本的には、上記取り込んだ光電変換信号が例えば閾値として設定された所定の値以上に変化することに基づいて、上記記録面５０ａに剥離や傷、汚れ等の異常がある旨を診断する。なお、上記ラインＣＣＤ２７および２８やその各対応する光源Ｌ１およびＬ２の駆動はＣＰＵ６１を通じて行われ、該異常診断回路６５を通じて異常が診断された場合の上記異常通知インジケータ１５の駆動（点灯）も、同じくＣＰＵ６１を通じて行われる。ちなみにこの実施の形態においては、上記異常診断回路６５およびＣＰＵ６１によって診断手段が構成され、上記異常通知インジケータ１５およびＣＰＵ６１によって報知手段が構成される。
【００４６】
次に、この実施の形態にかかる光ディスク装置による異常診断処理について図５〜図７を併せ参照して詳細に説明する。
図５に示されるように、この異常診断処理は、電源起動直後、すなわち上記電源スイッチＳの「ＯＮ」操作直後、またはトレー３０のローディングが完了したことを条件に起動される（ステップＳ１００）。そして、同処理の起動後は、まずディスク検出処理として、当該光ディスク装置としての制御に必要な各種変数が初期化される。その後、光ピックアップ部２４を通じたフォーカスサーチによってトレー３０上に実際に光ディスク５０が載置されているか否か、すなわち当該装置に光ディスク５０が装着されているか否かが検出される（ステップＳ１０１）。
【００４７】
そして、上記ディスク検出処理において「ディスク有り」と判断された場合には（ステップＳ１０２）、引き続き、上記光ピックアップ部２４および信号処理回路６３を通じてディスク管理情報の読出しが行われる（ステップＳ１０３）。なお、このディスク管理情報とは、光ディスク５０のリードイン領域に書き込まれている各種管理情報であり、それら情報の中には、当該光ディスク５０の種別情報やディスクサイズ情報等が含まれている。
【００４８】
こうしてディスク管理情報の読出しが完了すると（ステップＳ１０４）、この読出した管理情報に含まれる上記ディスクサイズ情報に基づいて、現在装着されている光ディスク５０が直径８ｃｍのディスクであるか、あるいは直径１２ｃｍのディスクであるかが判別される（ステップＳ１０５）。そしてこの判別の結果、装着されている光ディスク５０が８ｃｍのディスクであった場合には８ｃｍディスク対応のラインＣＣＤ２８およびその光源Ｌ２が起動される（ステップＳ１０６）。他方、１２ｃｍのディスクであった場合には１２ｃｍディスク対応のラインＣＣＤ２７およびその光源Ｌ１が起動される（ステップＳ１０７）。そして、これら該当するラインＣＣＤおよびその光源の起動に伴って、上記異常診断回路６５を通じた異常診断処理が開始される（ステップＳ１０８）。
【００４９】
この異常診断処理では、上記回転機構２０を通じた光ディスク５０の少なくとも１回の回転に基づいてその記録面５０ａの外周端部５０ｂの画像が該当するラインＣＣＤによって取り込まれ、同ラインＣＣＤを構成する各画素によって光電変換された信号が異常診断回路６５に入力される。
【００５０】
図６および図７は、こうしてラインＣＣＤを構成する各画素から出力される光電変換信号についてその一例を示したものであり、図６は、ディスク正常時のディスク回転角に対応した時間推移を、また図７は、ディスク異常時の同じくディスク回転角に対応した時間推移をそれぞれ示している。
【００５１】
一般に、光ディスクの記録面を画像として見た場合、これが正常であればその全面がほぼ均一な反射面となる。そのため、図６に信号ＳＧ１〜ＳＧ６として示すように、上記ラインＣＣＤの各画素からはほぼ一律の信号強度にて光電変換信号が出力されることとなる。
【００５２】
他方、同記録面に前述した剥離や傷、汚れ等の異常がある場合には、それら異常の度合いに応じて、光の散乱等が生じ、上記反射面としての均一性も損なわれる。そのため、図７に信号ＳＧ１ａ〜ＳＧ６ａとして示すように、その画像情報には、異常の存在、あるいは異常の度合いに応じた変化が現われることとなる。
【００５３】
例えば、同図７の信号ＳＧ１ａの場合、時間Ｔ１の間は先の図６に示したＳＧ１と同様にその信号強度が一定に保たれている。しかし、この信号ＳＧ１ａは、その後の時間Ｔ２にわたってその信号強度が急激に小さくなり、その後、時間Ｔ３においては再び時間Ｔ１の間に出力された信号強度と同等の信号強度に維持されている。ちなみに、この図７に例示した信号ＳＧ１ａ〜ＳＧ６ａは、光ディスク５０の記録面５０ａの外周端部５０ｂの一部に剥離が生じているときの上記各光電変換信号の推移を示したものである。ただし、他の異常、すなわち同外周端部５０ｂに傷や汚れがあった場合にも、上記各光電変換信号はこれに準じて推移することが発明者等によって確認されている。したがって、上記異常診断回路６５としても、例えば上記各光電変換信号の信号強度に対して適宜の閾値を設定しておき、この閾値を超えてその信号強度が小さくなるか否かを監視することで、上記装着された光ディスク５０に異常があるか否かを診断することができることとなる。
【００５４】
こうして異常診断処理を終えると、再び図５に示した一例の処理では、その診断結果に基づき、「異常有り」と診断された場合には、ＣＰＵ６１を通じて前記異常通知インジケータ１５が点灯される（ステップＳ１０９およびＳ１１０）。他方、同診断結果に基づき、異常が無い旨の診断がなされた場合には本処理を終了する。
【００５５】
なお、こうした一例の処理を通じて異常が検出されなかった場合には、その後、周知の通常の情報記録処理、あるいは情報再生処理が行われ、異常が検出された場合、すなわち上記異常通知インジケータ１５が点灯された場合には、その後の処理はユーザの判断に委ねられることとなる。
【００５６】
以上説明したように、この実施の形態にかかる光ディスク装置によれば、次のような効果が得られるようになる。
（１）装着された光ディスク５０の記録面５０ａをラインＣＣＤ２７および２８を通じて画像として取り込むとともに、この画像情報に基づいて該記録面５０ａに剥離や傷、あるいは汚れなどの異常があるか否かを診断することとした。このため、ラインＣＣＤといった比較的安価なイメージセンサを用いながら、光ディスク５０の少なくとも１回の回転に基づいて必要十分な画像情報を得ることができ、上記異常の有無についてもこれを迅速かつ的確に診断することができるようになる。しかもこの実施の形態では、アドレス情報などの光ディスク自体の持つ情報については、基本的に何ら意識することなく、極めて簡易に、その記録面の異常の有無を診断することもできる。
【００５７】
（２）また、上記ラインＣＣＤ２７および２８では、上記記録面５０ａの外周端部５０ｂの画像を選択的に取り込むこととした。これにより、特にディスク端部の剥離等、異常があった場合に時間的な無駄が最も大きい異常についてこれをより迅速かつ的確に診断することができる。
【００５８】
（３）また、上記ラインＣＣＤ２７および２８をそれぞれ径の異なる２種類の光ディスクの各々に対応して設けることとした。これにより、必要最小限の装置構成にて、汎用性の拡大を図ることもできる。
【００５９】
（４）装着された光ディスク５０の記録面５０ａに異常がある場合、その旨を異常通知インジケータ１５によって報知することとしたため、ユーザに的確にその旨を知らしめることができる。
【００６０】
（５）ラインＣＣＤ２７および２８による画像の取り込み、およびその異常診断処理を、装着された光ディスク５０への情報記録や情報再生に先立って行うこととした。これにより、その記録面５０ａをいちいち視認する等の煩わしさからの開放はもとより、同記録面５０ａの異常に起因する情報記録や情報再生の失敗も未然に防ぐことが可能となる。
【００６１】
なお、この発明にかかる光ディスク装置は、上記実施の形態に限定されるものではなく、同実施の形態を適宜変更した、例えば次のような形態として実施することもできる。
【００６２】
・上記実施の形態では、ディスクの有無やディスクサイズを検出するに際し、光ピックアップ部２４を操作することとしたが、上記実施の形態の装置によれば、例えば次のような態様でこれを検出することができる。すなわち、上記実施の形態の装置には、ディスクサイズに対応したかたちでそれぞれラインＣＣＤおよびその光源が設けられている。そのため、これらラインＣＣＤにより取り込まれる画像情報の内容さえ監視すれば、ディスクの有無並びにディスクサイズも併せて検出することができることとなる。そしてこの場合には、上記異常診断処理も、さらに簡易かつ迅速に行うことができるようになる。
【００６３】
・上記実施の形態では、ラインＣＣＤ２７および２８を光ピックアップ部２４と対向するかたちで設けることとしたが、これらの配設位置は、それらを共に干渉することなく配設し得る範囲で任意に変更可能である。例えば、ラインＣＣＤ２７および２８を光ピックアップ部２４の近傍に配設するようにした場合には、上記ラインＣＣＤ２７および２８の性能（感度）にもよるが、上記光源Ｌ１およびにＬ２代えて、光ピックアップ部２４から発せられる光を照明用の光源として利用することも可能となる。
【００６４】
・上記実施の形態では、上記ラインＣＣＤ２７および２８の別に光源Ｌ１およびＬ２を設けることとしたが、これらラインＣＣＤ２７および２８の性能（感度）や光源の性能（明度）に応じて、光源の数を変更してもよい。
【００６５】
・上記実施の形態では、装着される光ディスク５０の径に応じてラインＣＣＤ２７および２８を各別に設けることとしたが、本体１０内部に空間的な余裕がある場合には、適宜のスライド機を用いて、１つのラインＣＣＤを上記光ディスクの径方向に移動させるようにしてもよい。
【００６６】
・上記実施の形態では、ディスクサイズに応じて各別のラインＣＣＤを設けることとしたが、光ディスク５０の記録面５０ａについてその全域をカバーする一列のラインＣＣＤを設ける構成としてもよい。なおこの場合には、上記トレー３０にも、このラインＣＣＤの形状に対応したスリットを形成することとなる。
【００６７】
・上記実施の形態では、上記各ラインＣＣＤ２７および２８の端部と各光ディスクの外周端部とが一致する態様でそれらラインＣＣＤ２７および２８を設けることとした。これに代えて例えば、各光ディスクのリードアウト領域の先頭アドレスあたりがそれらラインＣＣＤの中央部となるように各ラインＣＣＤ２７および２８を設けるようにしてもよい。
【００６８】
・上記実施の形態では、２種類の径の光ディスクを装着することのできる光ディスク装置を例に説明したが、こうした装置に限られることなく、１種類のみのディスクに対応した光ディスク装置にも本発明は同様に適用することができる。
【００６９】
・上記実施の形態では、光ディスク５０の本体１０への装着に際して、トレー３０を用いる、いわゆるトレー方式の光ディスク装置にこの発明を適用する場合について例示したが、光ディスク５０を直接本体１０に挿入する、いわゆるスロットイン方式の光ディスク装置にも、この発明は同様に適用することができる。
【００７０】
・上記実施の形態では、異常診断回路６５は、ラインＣＣＤから出力される光電変換信号の信号強度がある閾値を超えて小さくなることに基づいて、装着された光ディスク５０に異常がある旨を診断することとした。しかし、こうした信号強度は、その異常要因や度合いに応じて様々な値を取り得ることから、例えば記録面５０ａが正常である場合に検出される値に対して上記閾値をある程度の範囲をもって可変設定するようにしてもよい。要は、上記光電変換信号が所定の値以上に変化することさえ検知することができれば、記録面５０ａの異常を診断することはできる。
【００７１】
・また一方、上記ラインＣＣＤから出力される光電変換信号の複数が所定の値以上に変化することを条件に、装着された光ディスク５０の記録面５０ａに異常がある旨を診断することとしてもよい。こうした場合には特に、上記ラインＣＣＤ２７または２８を構成する画素の１つに仮に画素異常等が生じている場合であっても、これを補償して、その診断精度を高く維持することができるようになる。
【００７２】
・上記実施の形態では、光ディスクの異常が検出された場合に、異常通知インジケータ１５を点灯させることとしたが、こうした異常をディスプレイ表示したり、ブザー等を鳴らすなどしてユーザに報知するようにしてもよい。
【００７３】
・上記実施の形態では、イメージセンサとしてラインＣＣＤを採用した。しかし、こうしたイメージセンサとしては他にも例えば、マトリックス状に画素が配置されたＣＣＤイメージセンサやＭＯＳ（ＣＭＯＳ）イメージセンサ、さらにはフォトダイオードやアバランシェフォトダイオード、フォトトランジスタなども適宜採用することができる。
【００７４】
【発明の効果】
以上説明したように、この発明にかかる光ディスク装置では、装着された光ディスクの記録面をイメージセンサによって画像として取り込み、該イメージセンサにて取り込まれた画像情報に基づいて該記録面の異常の有無を診断することとした。これにより、こうした画像情報に含まれる、記録面の異常の存在、あるいは異常の度合いに応じた変化に基づいて、上記異常の有無を簡易かつ高精度に診断することができるようになる。特にこの発明によれば、アドレス情報も含めて、光ディスク自体の持つ情報については、基本的に何ら意識することなく、極めて簡易に、その記録面の異常の有無を診断することができるようにもなる。
【図面の簡単な説明】
【図１】本発明にかかる光ディスク装置の一実施の形態について、その概略構造示す斜視図。
【図２】同実施の形態の光ディスク装置の概略構造を示す斜視図。
【図３】図１のＡ−Ａ’線に沿った断面図に光ディスクが装着された態様を示す概略断面図。
【図４】同実施の形態の光ディスク装置の電気的構成を示すブロック図。
【図５】同実施の形態の異常診断処理についてその処理手順を示すフローチャート。
【図６】ラインＣＣＤから出力される信号形態の一例を示す三次元タイムチャート。
【図７】異常時にラインＣＣＤから出力される信号形態の一例を示す三次元のタイムチャート。
【符号の説明】
１０…本体、１０ａ…（本体）正面、１１…トレー取り出し口、１２…イジェクトボタン、１３…電源ランプ、１４…ローディングランプ、１５…異常通知インジケータ、２０…回転機構、２１…スピンドルモータ、２２…回転軸、２３…ディスク保持台、２４…光ピックアップ部、２４ａ…レンズ、２５…ギア、２６…スライダモータ、２７、２８…ラインＣＣＤ、３０…トレー、３１…開口、３２、３３…溝、３４、３５…スリット、５０…光ディスク、５０ａ…記録面、５０ｂ…外周端部、５０ｃ…中心開口、６０…電源回路、６１…ＣＰＵ、６２…サーボ回路、６３…信号処理回路、６４…インターフェース（Ｉ／Ｆ）回路、６５…異常診断回路。
【図１】
2005018923.tif 000003
【図２】
2005018923.tif 000004
【図３】
2005018923.tif 000005
【図４】
2005018923.tif 000006
【図５】
2005018923.tif 000007
【図６】
2005018923.tif 000008
【図７】
2005018923.tif 000009